【手続補正書】
【提出日】平成17年10月12日(2005.10.12)
【手続補正１】
【補正対象書類名】明細書
【補正対象項目名】発明の名称
【補正方法】変更
【補正の内容】
【発明の名称】記録再生装置及びその再生方法
【手続補正２】
【補正対象書類名】明細書
【補正対象項目名】特許請求の範囲
【補正方法】変更
【補正の内容】
【特許請求の範囲】
【請求項１】  動画像及び音声のうち少なくとも１つを含むメディアデータファイルをランダムアクセス可能な記録媒体に記録し、該記録媒体から読み出して再生する、少なくともバッテリで駆動される記録再生装置であって、
前記メディアデータファイルの再生に要する再生時間を検出する再生時間検出手段と、
前記バッテリの電力残量を検出し、電力残量データを生成する電力残量検出手段と、
前記電力残量データと前記記録再生装置を構成する機器の稼動状態とを基に前記記録再生装置の駆動可能時間を算出する駆動可能時間算出手段と、
前記再生時間検出手段によって検出された再生時間と前記駆動可能時間算出手段によって算出された駆動可能時間とを比較し、前記メディアデータファイルを最後まで全部再生することが可能か否かを判定する判定手段と、
前記判定手段によって前記メディアデータファイルの全部を再生することが不可能であると判断されたとき警告を発生する警告手段と
を有することを特徴とする記録再生装置。
【請求項２】 動画像及び音声のうち少なくとも１つを含むメディアデータファイルをランダムアクセス可能な記録媒体に記録し、該記録媒体から読み出して再生する、少なくともバッテリで駆動される記録再生装置の再生方法であって、
前記メディアデータファイルの再生に要する再生時間を検出する再生時間検出ステップと、
前記バッテリの電力残量を検出し、電力残量データを生成する電力残量検出ステップと、
前記電力残量データと前記記録再生装置を構成する機器の稼動状態とを基に前記記録再生装置の駆動可能時間を算出する駆動可能時間算出ステップと、
前記再生時間検出ステップによって検出された再生時間と前記駆動可能時間算出ステップによって算出された駆動可能時間とを比較し、前記メディアデータファイルを最後まで全部再生することが可能か否かを判定する判定ステップと、
前記判定ステップによって前記メディアデータファイルの全部を再生することが不可能であると判断されたとき警告を発生する警告ステップと
を有することを特徴とする記録再生装置の再生方法。
【請求項３】 動画像、静止画像、及び音声のうち少なくとも１つをそれぞれ含む複数のメディアデータファイルと、該複数のメディアデータファイルのうち少なくとも１つを指定するとともに、該指定されたメディアデータファイルの再生方法を指定するデータをそれぞれ含む少なくとも１つのスクリプトファイルとを、ランダムアクセス可能な記録媒体に記録し、選択されたスクリプトファイルにおける指定に従って前記記録媒体から対応のメディアデータファイルを読み出して再生を行う、少なくともバッテリで駆動される記録再生装置であって、
前記選択されたスクリプトファイルにおける指定に従って前記対応のメディアデータファイルを再生するために要する再生時間を検出する再生時間検出手段と、
前記バッテリの電力残量を検出し、電力残量データを生成する電力残量検出手段と、
前記電力残量データと機器の稼動状態とから駆動可能時間を算出する駆動可能時間算出手段と、
前記再生時間検出手段によって検出された再生時間と前記駆動可能時間算出手段によって算出された駆動可能時間とを比較し、前記選択されたスクリプトファイルにおける指定に従って前記対応のメディアデータファイルを最後まで全部再生することが可能か否かを判定する判定手段と、
前記判定手段によって前記対応のメディアデータファイルの全部を最後まで再生することが不可能であると判断されたとき警告を発生する警告手段と
を有することを特徴とする記録再生装置。
【請求項４】 スクリプトファイルが作成または変更されるとき、該スクリプトファイルにおける指定に従って対応のメディアデータファイルを全部再生するに要する時間を算出して、前記スクリプトファイルに保存し、
前記再生時間検出手段は、前記選択されたスクリプトファイルに保存された時間を前記再生時間として読み出すことを特徴とする請求項３に記載の記録再生装置。
【請求項５】 前記判定手段によって前記対応のメディアデータファイルの全部を最後まで再生することが不可能であると判断されたとき、再生時間を間引くことにより、前記駆動可能時間以内で前記対応のメディアデータファイルの全部を最後まで再生するようにする再生手段を、更に有すること特徴とする請求項３に記載の記録再生装置。
【請求項６】 動画像、静止画像、及び音声のうち少なくとも１つをそれぞれ含む複数のメディアデータファイルと、該複数のメディアデータファイルのうち少なくとも１つを指定するとともに、該指定されたメディアデータファイルの再生方法を指定するデータをそれぞれ含む少なくとも１つのスクリプトファイルとを、ランダムアクセス可能な記録媒体に記録し、選択されたスクリプトファイルにおける指定に従って前記記録媒体から対応のメディアデータファイルを読み出して再生を行う、少なくともバッテリで駆動される記録再生装置の再生方法であって、
前記選択されたスクリプトファイルにおける指定に従って前記対応のメディアデータファイルを再生するために要する再生時間を検出する再生時間検出ステップと、
前記バッテリの電力残量を検出し、電力残量データを生成する電力残量検出ステップと、
前記電力残量データと機器の稼動状態とから駆動可能時間を算出する駆動可能時間算出ステップと、
前記再生時間検出ステップによって検出された再生時間と前記駆動可能時間算出ステップによって算出された駆動可能時間とを比較し、前記選択されたスクリプトファイルにおける指定に従って前記対応のメディアデータファイルを最後まで全部再生することが可能か否かを判定する判定ステップと、
前記判定ステップによって前記対応のメディアデータファイルの全部を最後まで再生することが不可能であると判断されたとき警告を発生する警告ステップと
を有することを特徴とする記録再生装置の再生方法。
【請求項７】 スクリプトファイルが作成または変更されるとき、該スクリプトファイルにおける指定に従って対応のメディアデータファイルを全部再生するに要する時間を算出して、前記スクリプトファイルに保存し、
前記再生時間検出ステップは、前記選択されたスクリプトファイルに保存された時間を前記再生時間として読み出すことを特徴とする請求項６に記載の記録再生装置の再生方法。
【請求項８】 前記判定ステップによって前記対応のメディアデータファイルの全部を最後まで再生することが不可能であると判断されたとき、再生時間を間引くことにより、前記駆動可能時間以内で前記対応のメディアデータファイルの全部を最後まで再生するようにする再生ステップを、更に有すること特徴とする請求項６に記載の記録再生装置の再生方法。
【手続補正３】
【補正対象書類名】明細書
【補正対象項目名】０００１
【補正方法】変更
【補正の内容】
【０００１】
【発明の属する技術分野】
本発明は、記録再生装置及びその再生方法に関し、特に、動画像及び音声のうち少なくとも１つを含むメディアデータファイルをランダムアクセス可能な記録媒体に記録し、該記録媒体から読み出して再生する、少なくともバッテリで駆動される記録再生装置及びその再生方法に関する。
【手続補正４】
【補正対象書類名】明細書
【補正対象項目名】００１０
【補正方法】変更
【補正の内容】
【００１０】
本発明は、このような問題点に鑑みてなされたものであって、バッテリ駆動で再生を行う場合に再生コンテンツを全部最後まで再生できるか否かを判断できる具体的な方法を工夫して製品化を図るようにした記録再生装置及びその再生方法を提供することを目的とする。
【手続補正５】
【補正対象書類名】明細書
【補正対象項目名】００１１
【補正方法】変更
【補正の内容】
【００１１】
【課題を解決するための手段】
上記目的を達成するために、請求項１記載の記録再生装置は、動画像及び音声のうち少なくとも１つを含むメディアデータファイルをランダムアクセス可能な記録媒体に記録し、該記録媒体から読み出して再生する、少なくともバッテリで駆動される記録再生装置であって、前記メディアデータファイルの再生に要する再生時間を検出する再生時間検出手段と、前記バッテリの電力残量を検出し、電力残量データを生成する電力残量検出手段と、前記電力残量データと前記記録再生装置を構成する機器の稼動状態とを基に前記記録再生装置の駆動可能時間を算出する駆動可能時間算出手段と、前記再生時間検出手段によって検出された再生時間と前記駆動可能時間算出手段によって算出された駆動可能時間とを比較し、前記メディアデータファイルを最後まで全部再生することが可能か否かを判定する判定手段と、前記判定手段によって前記メディアデータファイルの全部を再生することが不可能であると判断されたとき警告を発生する警告手段とを有することを特徴とする。
請求項２記載の記録再生装置の再生方法は、動画像及び音声のうち少なくとも１つを含むメディアデータファイルをランダムアクセス可能な記録媒体に記録し、該記録媒体から読み出して再生する、少なくともバッテリで駆動される記録再生装置の再生方法であって、前記メディアデータファイルの再生に要する再生時間を検出する再生時間検出ステップと、前記バッテリの電力残量を検出し、電力残量データを生成する電力残量検出ステップと、前記電力残量データと前記記録再生装置を構成する機器の稼動状態とを基に前記記録再生装置の駆動可能時間を算出する駆動可能時間算出ステップと、前記再生時間検出ステップによって検出された再生時間と前記駆動可能時間算出ステップによって算出された駆動可能時間とを比較し、前記メディアデータファイルを最後まで全部再生することが可能か否かを判定する判定ステップと、前記判定ステップによって前記メディアデータファイルの全部を再生することが不可能であると判断されたとき警告を発生する警告ステップとを有することを特徴とする。
請求項３記載の記録再生装置は、動画像、静止画像、及び音声のうち少なくとも１つをそれぞれ含む複数のメディアデータファイルと、該複数のメディアデータファイルのうち少なくとも１つを指定するとともに、該指定されたメディアデータファイルの再生方法を指定するデータをそれぞれ含む少なくとも１つのスクリプトファイルとを、ランダムアクセス可能な記録媒体に記録し、選択されたスクリプトファイルにおける指定に従って前記記録媒体から対応のメディアデータファイルを読み出して再生を行う、少なくともバッテリで駆動される記録再生装置であって、前記選択されたスクリプトファイルにおける指定に従って前記対応のメディアデータファイルを再生するために要する再生時間を検出する再生時間検出手段と、前記バッテリの電力残量を検出し、電力残量データを生成する電力残量検出手段と、前記電力残量データと機器の稼動状態とから駆動可能時間を算出する駆動可能時間算出手段と、前記再生時間検出手段によって検出された再生時間と前記駆動可能時間算出手段によって算出された駆動可能時間とを比較し、前記選択されたスクリプトファイルにおける指定に従って前記対応のメディアデータファイルを最後まで全部再生することが可能か否かを判定する判定手段と、前記判定手段によって前記対応のメディアデータファイルの全部を最後まで再生することが不可能であると判断されたとき警告を発生する警告手段とを有することを特徴とする。
請求項６記載の記録再生装置の再生方法は、動画像、静止画像、及び音声のうち少なくとも１つをそれぞれ含む複数のメディアデータファイルと、該複数のメディアデータファイルのうち少なくとも１つを指定するとともに、該指定されたメディアデータファイルの再生方法を指定するデータをそれぞれ含む少なくとも１つのスクリプトファイルとを、ランダムアクセス可能な記録媒体に記録し、選択されたスクリプトファイルにおける指定に従って前記記録媒体から対応のメディアデータファイルを読み出して再生を行う、少なくともバッテリで駆動される記録再生装置の再生方法であって、前記選択されたスクリプトファイルにおける指定に従って前記対応のメディアデータファイルを再生するために要する再生時間を検出する再生時間検出ステップと、前記バッテリの電力残量を検出し、電力残量データを生成する電力残量検出ステップと、前記電力残量データと機器の稼動状態とから駆動可能時間を算出する駆動可能時間算出ステップと、前記再生時間検出ステップによって検出された再生時間と前記駆動可能時間算出ステップによって算出された駆動可能時間とを比較し、前記選択されたスクリプトファイルにおける指定に従って前記対応のメディアデータファイルを最後まで全部再生することが可能か否かを判定する判定ステップと、前記判定ステップによって前記対応のメディアデータファイルの全部を最後まで再生することが不可能であると判断されたとき警告を発生する警告ステップとを有することを特徴とする。
【手続補正６】
【補正対象書類名】明細書
【補正対象項目名】００７０
【補正方法】削除
【補正の内容】
【手続補正７】
【補正対象書類名】明細書
【補正対象項目名】００７１
【補正方法】削除
【補正の内容】
【手続補正８】
【補正対象書類名】明細書
【補正対象項目名】００７２
【補正方法】削除
【補正の内容】
【手続補正９】
【補正対象書類名】明細書
【補正対象項目名】００７３
【補正方法】削除
【補正の内容】
【手続補正１０】
【補正対象書類名】明細書
【補正対象項目名】００７４
【補正方法】削除
【補正の内容】
【手続補正１１】
【補正対象書類名】明細書
【補正対象項目名】００７５
【補正方法】削除
【補正の内容】
【手続補正１２】
【補正対象書類名】明細書
【補正対象項目名】００７６
【補正方法】削除
【補正の内容】
【手続補正１３】
【補正対象書類名】明細書
【補正対象項目名】００７７
【補正方法】削除
【補正の内容】
【手続補正１４】
【補正対象書類名】明細書
【補正対象項目名】００７８
【補正方法】削除
【補正の内容】
【手続補正１５】
【補正対象書類名】明細書
【補正対象項目名】００７９
【補正方法】削除
【補正の内容】
【手続補正１６】
【補正対象書類名】明細書
【補正対象項目名】００８０
【補正方法】削除
【補正の内容】
【手続補正１７】
【補正対象書類名】明細書
【補正対象項目名】００８１
【補正方法】削除
【補正の内容】
【手続補正１８】
【補正対象書類名】明細書
【補正対象項目名】００８２
【補正方法】削除
【補正の内容】
【手続補正１９】
【補正対象書類名】明細書
【補正対象項目名】００８３
【補正方法】削除
【補正の内容】
【手続補正２０】
【補正対象書類名】明細書
【補正対象項目名】００８４
【補正方法】削除
【補正の内容】
【手続補正２１】
【補正対象書類名】明細書
【補正対象項目名】００８５
【補正方法】削除
【補正の内容】
【手続補正２２】
【補正対象書類名】明細書
【補正対象項目名】００８６
【補正方法】削除
【補正の内容】
【手続補正２３】
【補正対象書類名】明細書
【補正対象項目名】００８７
【補正方法】削除
【補正の内容】
【手続補正２４】
【補正対象書類名】明細書
【補正対象項目名】００８８
【補正方法】削除
【補正の内容】
【手続補正２５】
【補正対象書類名】明細書
【補正対象項目名】００８９
【補正方法】削除
【補正の内容】
【手続補正２６】
【補正対象書類名】明細書
【補正対象項目名】００９０
【補正方法】削除
【補正の内容】
【手続補正２７】
【補正対象書類名】明細書
【補正対象項目名】００９１
【補正方法】削除
【補正の内容】
【手続補正２８】
【補正対象書類名】明細書
【補正対象項目名】００９２
【補正方法】削除
【補正の内容】
【手続補正２９】
【補正対象書類名】明細書
【補正対象項目名】００９３
【補正方法】削除
【補正の内容】
【手続補正３０】
【補正対象書類名】明細書
【補正対象項目名】００９４
【補正方法】削除
【補正の内容】
【手続補正３１】
【補正対象書類名】明細書
【補正対象項目名】００９５
【補正方法】削除
【補正の内容】
【手続補正３２】
【補正対象書類名】明細書
【補正対象項目名】００９６
【補正方法】削除
【補正の内容】
【手続補正３３】
【補正対象書類名】明細書
【補正対象項目名】００９７
【補正方法】削除
【補正の内容】